(57)【要約】【課題】画像形成紙を複数枚作成しても、回収した余白紙があふれて紙詰まりや故障が発生することのないフォトプリンタを提供する。【解決手段】画像形成済みの画像形成紙間の余白部分である余白紙がカッタ４１で切断されると、ケース５１で収容する。また、ケース５１に収容した余白紙があふれない程度の枚数を切断手段が切断する回数を、設定値として予め設定しておき、カッタ４１でロール紙１１を切断した回数を計数する。制御部７は、計数回数が設定値になると、ケース５１の上部開口部が下向きになるように、ケース５１を回動させて、ケース５１内の余白紙を排出させる。所定時間が経過すると、再度ケース５１を回動させて元の状態に戻す。また、計数回数をリセットして、再度計数を行う。【選択図】図２
2005001165.tif 000002
【特許請求の範囲】
【請求項１】
ロール紙に画像形成する画像形成手段と、
画像形成済みの画像形成紙と、この画像形成紙間の余白部分である余白紙と、を連続紙から切り離す切断手段と、
余白紙を収容する余白紙収容手段と、を備えたフォトプリンタにおいて、
前記切断手段の切断回数を計数する計数手段と、
前記計数手段の計数回数が設定値になると、前記余白紙収容手段から余白紙を排出させる排出手段と、を備え、
前記余白紙収容手段は、上部に開口部を有した箱形状で、ほぼ水平方向に配置された回動軸に回動自在に軸支され、前記排出手段は、前記余白紙収容手段を回動させる回動手段を備えているか、または、
前記余白紙収容手段は上部に開口部を有した箱形状で、底面または側面に開閉可能な蓋を備え、前記排出手段は前記蓋を開閉する開閉手段を備えており、
さらに、前記排出手段は、前記余白紙収容手段の内側に風を吹き付けるファンを備え、前記余白紙収容手段は、底面または側面の少なくとも一方に、余白紙が通過しないサイズの間隙を複数有することを特徴とするフォトプリンタ。
【請求項２】
ロール紙に画像形成する画像形成手段と、
画像形成済みの画像形成紙と、この画像形成紙間の余白部分である余白紙と、を連続紙から切り離す切断手段と、
余白紙を収容する余白紙収容手段と、を備えたフォトプリンタにおいて、
前記切断手段の切断回数を計数する計数手段と、
前記計数手段の計数回数が設定値になると、前記余白紙収容手段から余白紙を排出させる排出手段と、を備えたことを特徴とするフォトプリンタ。
【請求項３】
前記余白紙収容手段は、上部に開口部を有した箱形状で、ほぼ水平方向に配置された回動軸に回動自在に軸支され、前記排出手段は、前記余白紙収容手段を回動させる回動手段を備えた請求項２に記載のフォトプリンタ。
【請求項４】
前記余白紙収容手段は上部に開口部を有した箱形状で、底面または側面に開閉可能な蓋を備え、前記排出手段は前記蓋を開閉する開閉手段を備えた請求項２に記載のフォトプリンタ。
【請求項５】
前記排出手段は、前記余白紙収容手段の内側に風を吹き付けるファンを備えた請求項３または４に記載のフォトプリンタ。
【請求項６】
前記余白紙収容手段は、底面または側面の少なくとも一方に、余白紙が通過しないサイズの間隙を複数有する請求項５に記載のフォトプリンタ。
【発明の詳細な説明】
【０００１】
【発明の属する技術分野】
本発明は、連続紙から切り離した余白部を収容する余白紙収容手段を備えたフォトプリンタに関する。
【０００２】
【従来の技術】
フォトプリンタは、ロール紙を使用することで、通常サイズやパノラマサイズの写真など異なるサイズの写真を、用紙を入れ替えることなく連続的に印刷することができる。フォトプリンタでは、ロール紙に画像を形成した際に画像を形成していない部分の一部（画像形成部の後端部）が感光することがある。そのため、従来のフォトプリンタは、この感光した部分（余白紙）を切断・排紙し、画像形成した部分（画像形成紙）を切断・排紙していた。
【０００３】
従来のフォトプリンタは、余白紙を回収する容器を備えていた。また、余白紙を回収する容器の重量を検出する重量検出器を備えたものが提案されている（例えば、特許文献１参照。）。特許文献１に記載の装置は、紙片（余白紙）を整然と積み重ねて紙片回収器に回収することかでき、また、紙片回収器の重量を重量検出器で検出することにより、紙片回収器から紙片があふれ出す前に警告を発することができる。
【０００４】
【特許文献１】
特開２００２−８６８２７号公報（第３−４頁、第１−２図）
【０００５】
【発明が解決しようとする課題】
特許文献１に記載の装置は、上記のように重量検出器が紙片回収器の重量を検出すると、例えばＬＥＤを点灯することで警告を発するが、ユーザはＬＥＤが点灯しているのを見落とすことがあった。そのため、この装置では、紙片回収器から紙片（余白紙）があふれて、紙詰まりや故障が発生するという問題があった。
【０００６】
そこで、本発明は、画像形成紙を複数枚作成しても、回収した余白紙があふれて紙詰まりや故障が発生することのないフォトプリンタを提供することを目的とする。
【０００７】
【課題を解決するための手段】
この発明は、上記の課題を解決するための手段として、以下の構成を備えている。
【０００８】
（１）ロール紙に画像形成する画像形成手段と、
画像形成済みの画像形成紙と、この画像形成紙間の余白部分である余白紙と、を連続紙から切り離す切断手段と、
余白紙を収容する余白紙収容手段と、を備えたフォトプリンタにおいて、
前記切断手段の切断回数を計数する計数手段と、
前記計数手段の計数回数が設定値になると、前記余白紙収容手段から余白紙を排出させる排出手段と、を備えたことを特徴とする。
【０００９】
この構成においては、余白紙収容手段に収容した余白紙があふれない程度の枚数を切断手段が切断する回数を、設定値として予め設定しておくことで、余白紙収容手段から余白紙があふれて紙詰まりや故障を起こすことなく、余白紙収容手段に収容された余白紙を定期的に排出させることができる。したがって、フォトプリンタのユーザは、余白紙を捨てるタイミングを気にすることなく、フォトプリンタを使用することができる。
【００１０】
（２）前記余白紙収容手段は、上部に開口部を有した箱形状で、ほぼ水平方向に配置された回動軸に回動自在に軸支され、前記排出手段は、前記余白紙収容手段を回動させる回動手段を備えたことを特徴とする。
【００１１】
この構成においては、余白紙は切断手段で切断されると、箱形状の余白紙収容手段における上部の開口部から収容されて順次蓄積していく。また、余白紙収容手段の開口部を斜め下方向または下方向に向く位置まで回動手段が余白紙収容手段を回動させるように設定しておくことで、計数手段の計数回数が設定値になると、余白紙収容手段に収容された余白紙を排出させることができる。したがって、ユーザは容易に余白紙を廃棄することができる。また、このフォトプリンタは、余白紙収容手段を取り外すのではなく回動させて余白紙を排出させるので、ユーザが誤って切断手段の近傍に手を挿入してしまう心配がなく、ユーザが切断手段で怪我をするのを防止できる。
【００１２】
（３）前記余白紙収容手段は上部に開口部を有した箱形状で、底面または側面に開閉可能な蓋を備え、前記排出手段は前記蓋を開閉する開閉手段を備えたことを特徴とする。
【００１３】
この構成においては、計数手段の計数回数が設定値になると、回動手段を動作させて余白紙収容手段を回動させることで、余白紙収容手段に収容された余白紙を容易に排出させることができる。また、このフォトプリンタは、余白紙収容手段を取り外すのではなく蓋を開放させて余白紙を排出させるので、ユーザが誤って切断手段の近傍に手を挿入してしまう心配がなく、ユーザが切断手段で怪我するのを防止できる。
【００１４】
（４）前記排出手段は、前記余白紙収容手段の内側に風を吹き付けるファンを備えたことを特徴とする。
【００１５】
この構成においては、余白紙収容手段から余白紙を排出する際に、余白紙収容手段の内側にファンが風を吹き付けるように設定しておくことで、余白紙を排出させるためにファンからの風を利用することができ、短時間で余白紙を余白紙収容手段から排出させることができる。したがって、ユーザは、フォトプリンタに蓄積される余白紙の廃棄時期を気にすることなく、フォトプリンタで画像形成を行うことができる。
【００１６】
（５）前記余白紙収容手段は、底面または側面の少なくとも一方に、余白紙が通過しないサイズの間隙を複数有することを特徴とする。
【００１７】
この構成においては、余白紙収容手段の少なくとも底面には複数の間隙が設けられているので、余白紙収容手段の底面から内側にファンで風を吹き付けることができる。したがって、ファンの配置位置の自由度が高くなり、組み立てやすい位置にファンを設置することができ、組み立て工数を削減できる。また、フォトプリンタ内の通気に適当な位置にファンを配置することで、余白紙の排出用とフォトプリンタ内の通気用とにファンを兼用することが可能となり、コストアップを防止できる。
【００１８】
【発明の実施の形態】
図１は、本発明の実施形態に係るフォトプリンタの概略構成を示した正面透視図である。以下の説明では、ＴＡ方式（サーモオートクローム方式または光定着型直接感熱記録方式とも称する。）のプリンタを例に挙げて説明する。ここで、ＴＡ方式とは、Ｙ（イエロー）・Ｍ（マゼンタ）・Ｃ（シアン）の３原色に発色する３つの熱発色層が積層されたＴＡペーパと呼ばれる専用紙に、サーマルヘッドによる加熱と紫外線照射による定着とを繰り返し行うことで、フルカラー画像を形成する方式である。
【００１９】
図１に示すように、フォトプリンタ１は、給紙部２、画像形成部３、定着ユニット部４、切断部５、余白紙収容部６、及び制御部７を備えている。給紙部２は、ＴＡペーパの連続紙を円柱の芯に巻いたロール紙１１を軸支するロール紙保持部材１２、ロール紙１１をガイドする用紙ガイド１３、ロール紙１１の送りを制御する搬送ローラ対１４（１４ａ，１４ｂ）・搬送ローラ１５、搬送ローラ対１４及び搬送ローラ１５と、ロール紙保持部材１２と、の回転を同期させる同期ギア１６ａ〜１６ｄを備えている。なお、ロール紙保持部材１２は、図外のモータによって駆動されている。
【００２０】
画像形成部３は、ロール紙を加熱して画像を形成するサーマルヘッド２１、及びサーマルヘッド２１の温度調整を行う図示していない温度コントローラ２２を備えている。
【００２１】
定着ユニット部４は、マゼンタ定着用の蛍光管３１ａ，３１ｂ、蛍光管３１ａ，３１ｂの周囲を覆うリフレクタ３２、イエロー定着用の蛍光管３３ａ，３３ｂ、蛍光管３３ａ，３３ｂの周囲を覆うリフレクタ３４、蛍光管３１ａ，３１ｂと蛍光管３３ａ，３３ｂとの上部を移動して、ロール紙１１の画像形成していない部分が感光しないように遮光するシャッタ３５、シャッタ３５の補助するガイド部材３６、シャッタ３５を移動させるギア３７ａ〜３７ｃ、シャッタ３５の動をロール紙１１の送りと連動させるクラッチ３８、ロール紙１１を排出する排出ローラ対３９、及び蛍光管３１ａ，３１ｂと蛍光管３３ａ，３３ｂとを点灯・消灯させる図示していない蛍光管点灯回路４０を備えている。なお、蛍光管３１ａ，３１ｂと、蛍光管３３ａ，３３ｂと、は、異なる波長の紫外線を放射する。
【００２２】
切断部５は、ロール紙１１を切断するカッタ４１、ロール紙１１の送り方向と垂直な方向にカッタ４１を移動させるカッタ移動機構４２を備えている。
【００２３】
余白紙収容部６は、上部に開口部を有する箱形状で、この開口部を介して余白紙を内側に収容するケース５１、上方向を向いているケース５１の開口部を下方向または斜め下方向に向けて、ケース５１内に収容された余白紙を排出させるために、ケース５１を回動させる回動機構５２を備えている。制御部７は、詳細は後述するが、フォトプリンタ１の各部の動作を制御する。
【００２４】
フォトプリンタ１では画像形成する前に、制御部７が図外のモータによりロール紙保持部材１２を回転させてロール紙１１を所定の長さだけ送り出してから、ロール紙保持部材１２の回転を停止させる。そして、制御部７は、カッタ移動機構４２によりカッタ４１を移動させて、前回の画像形成時に感光した非画像形成部である余白紙を切断する。切断された余白紙は、落下してケース５１に収容される。なお、余白紙は、フォトプリンタやロール紙１１のサイズに応じて適切な長さとなるように、実験などに基づいて予め設定しておけば良い。
【００２５】
続いて、制御部７は、図外のモータによりロール紙保持部材１２を回転させてロール紙１１の先端部を移動させる。そして、制御部７は図外の温度コントローラ２２、図外の蛍光管点灯回路４０、ロール紙１１の搬送を制御する図外のモータなどを制御して以下の処理を行う。すなわち、（１）サーマルヘッド２１でロール紙１１を低温加熱して、イエロー画像を形成する。（２）蛍光管３３ａ，３３ｂから紫外線を照射してイエロー画像を定着させる。（３）サーマルヘッド２１でロール紙１１を中温加熱して、マゼンタ画像を形成する。（４）蛍光管３１ａ，３１ｂから紫外線を照射してマゼンタ画像を定着させる。（５）サーマルヘッド２１でロール紙１１を高温加熱して、シアン画像を形成する。なお、シアン画像は定着の必要がないため、紫外線を照射しない。
【００２６】
制御部７は、ロール紙１１上への画像形成が完了すると、ロール紙１１を送り出し、ロール紙１１上に形成した画像の後端がカッタ４１に対向する位置でロール紙１１の送り出しを停止する。そして、制御部７は、カッタ移動機構４２によりカッタ４１を移動させて、画像形成部である画像形成紙を切断する。切断された画像形成紙は、排出ローラ対３９により排出口１０から排出される。このように、画像形成紙を１枚作成する毎に、余白紙が１枚ケース５１に収容される。
【００２７】
図２は、余白紙収容部の回動機構の概略を示した構成図である。図２（Ａ）に示すように、回動機構５２は、軸６１及びモータ６２を備えている。軸６１は、ケース５１の底部に、ほぼ水平に設置されている。すなわち、軸６１は、ロール紙１１の搬送方向に対して垂直に設置されており、軸６１が回動すると、ケース５１が回動する。また、軸６１は、ギアを介してまたは直接モータ６２に接続されている。
【００２８】
前記のように、余白紙がケース５１からあふれると、紙詰まりが発生して故障の原因となる。そこで、本発明の実施形態に係るフォトプリンタ１では、ケース５１内に所定枚数の余白紙が収容されると、フォトプリンタ１の外部に余白紙を自動的に排出させる。フォトプリンタ１は、具体的には、以下のように動作する。図３は、フォトプリンタの余白紙排出動作を説明するためのフローチャートである。
【００２９】
フォトプリンタ１では、カッタ４１を動作させるカッタ移動機構４２の動作回数が、ケース５１に収容される余白紙の枚数と比例しているので、制御部７はカッタ移動機構４２の動作回数を計数する。また、制御部７には、ケース５１内に収容する余白紙があふれないように、所定の設定値が予め設定されている。この設定値としては、ケース５１内が空の状態から、ケース５１内に収容した余白紙があふれない程度の枚数が収容されたときまでの間に、カッタ移動機構４２を動作させた回数を設定している。例えば、ケース５１の余白紙収容上限が１００枚の場合、余白紙を１００枚切断するためには、制御部７はカッタ移動機構４２を２００回（正確には１９９回）動作させる必要がある。したがって、この場合、制御部７に設定する設定値はｋ＝２００が適当である。
【００３０】
図３に示すように、制御部７は、切断部５のカッタ４１で初めて余白紙を切断する時、または計数値がリセットされた時に、計数値ｋが０に設定されている  （ｓ１）。制御部７は、カッタ４１でロール紙１１を切断するためにカッタ移動機構４２を動作させると（ｓ２）、カッタ移動機構４２の動作回数の計数値ｋを１回分カウントアップする（ｓ３）。制御部７は、計数値ｋが設定値ｎであるかを判定し（ｓ４）、計数値ｋが設定値ｎでない場合には、計数値ｋが設定値ｎになるまでステップｓ２〜ｓ４の処理を繰り返し実行する。
【００３１】
制御部７は、カッタ移動機構４２の動作回数が、設定値ｎになると（ｓ４）、モータ６２に対してケース５１を回動させる信号（排出指令信号）を出力する  （ｓ５）。制御部７からの排出指令信号によりモータ６２が動作すると、図２  （Ｂ）に示すように、モータ６２の動力が軸６１を介してケース５１に伝達されて、ケース５１の開口部が上部ある初期状態からケース５１が回動されて、ケース５１の開口部を斜め下方向または下方向を向ける。制御部７は、排出指令信号の出力を停止して、この状態でモータ６２を停止させる（ｓ６）。これにより、ケース５１内に収容されていた余白紙は、重力を受けて落下するため、ケース５１から排出される。
【００３２】
制御部７は、予め設定した所定時間が経過すると（ｓ７）、モータ６２に対してケース５１を回動させる信号（リセット指令信号）を出力する（ｓ８）。モータ６２はこの信号によりケース５１を回動させ、ケース５１を初期状態に戻す。また、制御部７は、計数値ｋをリセットする（ｓ９）。そして、制御部７は、ステップｓ１から順に、上記の処理を繰り返し実行する。
【００３３】
なお、ケース５１の余白紙の収容能力（収容可能枚数）は、実験などを行って予め確認しておき、この結果に基づいて上記の設定値を設定すると良い。
【００３４】
図４は、図２に示した余白紙収容部を一部変更した概略構成図である。図４に示すように、ケース５１の上面が斜め下方向または下方向を向いたときにケース５１内に風を吹き付けて、ケース５１内の余白紙を強制的に排出させるファン６６を設けるようにしても良い。このとき、ケース５１の底面５１ｃや側面の一部に、余白紙が通過せずに空気が容易に通過する大きさの間隙を、例えば格子状に複数設けておく。そして、ケース５１が回動して、ケース５１の上面が斜め下方向または下方向を向いたときに、ケース５１の底面側からケース５１内に風を吹き付けるようにファン６６を配置すると良い。
【００３５】
また、図４に示した位置にファン６６を設置することで、フォトプリンタ１内の通気用、つまり、サーマルヘッド２１や蛍光管３１ａ，３１ｂ、蛍光管３３ａ，３３ｂなどから放出された熱を外部へ放出するためのファンとして使用することができる。したがって、ファン６６は、２つの用途に兼用できるので、コストアップを防止できる。
【００３６】
次に、余白紙収容部６の別の構成について説明する。フォトプリンタ１の余白紙収容部６は、切断部５の動作回数の計数値が設定値になると、余白紙収容部６に収容された余白紙を排出する構成であれば、別の構成であっても良い。図５は、図２及び図４とは異なる構成を示した余白紙収容部の回動機構の概略構成図である。ケース５３から余白紙を排出させるための回動機構５２は、図５に示すように、ソレノイド７１を使用しても良い。この構成では、制御部７から排出指令信号を出力されると、ソレノイド７１が動作して、開口部が上方向を向いているケース５３の側面５３ｄが可動鉄芯７１ａで押されて、ケース５３が回動し、ケース５３の開口部が斜め下方向を向くように構成している。ケース５３の底部には、ケース５３を回動自在に軸支する軸７２を設ける。また、ソレノイド７１を動作させないときには、ケース５３が余白紙を収納する状態（通常状態）で静止するように、ケース５３の底部におけるコーナ５３ｅ付近に重り５３ｆを配置する。さらに、ソレノイド７１の可動鉄芯７１ａがケース５３の側面５３ｄにおける上部に当たるように配置する。
【００３７】
制御部７からの排出指令信号によりソレノイド７１が動作すると、ケース５３の側面５３ｄ上部が可動鉄芯７１ａによって押されてケース５３が回動し、ケース５３の上面が斜め下方向または下方向を向く。これにより、ケース５３内に収容されていた余白紙は、重力により落下するため、ケース５３から排出される。
【００３８】
また、制御部７からリセット指令信号が出力されると、ソレノイド７１内に可動鉄芯７１ａが収納されて、ケース５３は開口部が上方向を向いた通常状態に戻る。
【００３９】
なお、ソレノイド７１を使用してケース５３を回動させる構成では、ケース５３の回動角度が制限されるため、ケース５３の側面５３ｂを所定の角度で傾斜した構造にすると良い。これにより、ケース５３を回動させた際に、側面５３ｂを余白紙が滑り落ちて、速やかに排出させることができる。
【００４０】
また、この構成においても、図５（Ｂ）に示すように、ケース５３内に収容された余白紙の排出を速めるために、ケース５３の側面５３ｄや底面の一部に、余白紙が通過せずに空気が容易に通過する大きさの間隙を複数設けるとともに、ファン６６がケース５３内に風を吹き付けるように配置しても良い。これにより、余白紙を重力と風によって排出させることができるので、排出を短時間で終了させることができる。
【００４１】
図６は、図２、図４、図５とは異なる構成を示した余白紙収容部の回動機構の概略構成図である。図６に示す構成は、ケース５４を回動させるのではなく、ケース５４の側面または底面を開閉させる開閉機構８１を備えている。すなわち、図６（Ａ）に示すように、ケース５４の側面５４ｄには、ロール紙１１の搬送方向に対して垂直に設置された軸８２で一端を開閉自在に軸支されたフタ８３が取り付けられている。また、ケース５４内の底面５４ｃは、フタ８３側が低くなるように傾斜している。さらに、軸８２は、モータ８４に接続されており、制御部７から排出指令信号が出力されると、モータ８４が動作してモータ８４の動力により軸８２を介してフタ８３が開放される。これにより、ケース５４内に収容されていた余白紙は、ケースの底面５４ｃ上をすべり落ちて、ケース５４の側面から排出される。
【００４２】
また、フタ８３を開放してから所定時間経過後に、制御部７からモータ８４に対してリセット指令信号が出力されると、フタ８３が閉鎖される。
【００４３】
一方、図６（Ｂ）に示すように、ケース５５の底面５５ｃにおける端部近傍に、軸９１で開閉自在に軸支されたフタ９２を設けても良い。この構成では、軸９１がモータ９３に接続されており、制御部７からの排出指令信号によりモータ９３が動作すると、モータ９３の動力が軸９１を介してフタ９２に伝達されて、フタ９２が開放される。底面５５ｃはフタ９２側が低くなるように傾斜した形状であるため、ケース５５内に収容されていた余白紙は、底面５５ｃを滑り落ちてケース５５の底部から排出される。
【００４４】
また、フタ９２を開放してから所定時間経過後に、制御部７からモータ９３に対してリセット指令信号が出力されると、フタ９２が閉鎖される。
【００４５】
なお、図６（Ａ），（Ｂ）に示した構成においては、フタ８３またはフタ９２の開放時に余白紙の排出を短時間で終了させるために、ケース５１内に風を吹き付けるファン６７を、ケース５４またはケース５５の上部に設けるようにしても良い。
【００４６】
以上のように、フォトプリンタ１では、余白紙収容部６に収容された余白紙が所定枚数になると自動的に排出されるので、余白紙がケース５１からあふれて紙詰まりや故障が発生するのを防止できる。また、フォトプリンタ１は、余白紙収容手段を取り外すのではなく回動させたり、蓋を開閉させたりしして余白紙を排出させるので、ユーザが誤って切断部５の近傍に手を挿入してしまう心配がなく、ユーザがカッタ４１で怪我をするのを防止できる。
【００４７】
なお、フォトプリンタ１のケース５１の下部には、収容量の大きなゴミ箱を置くか、または、収容量の大きな袋を取り付けると良い。これにより、ケース５１から排出された余白紙が散乱するのを防止できる。
【００４８】
【発明の効果】
本発明によれば、以下の効果が得られる。
【００４９】
余白紙収容手段に収容された余白紙を定期的に排出させることができるので、フォトプリンタのユーザは、余白紙を捨てるタイミングを気にすることなく、フォトプリンタを使用することができる。
【００５０】
また、フォトプリンタでは、余白紙を排出する際に、余白紙収容手段を取り外すのではなく、余白紙収容手段を回動させたり、蓋を開放するので、ユーザが誤って切断手段の近傍に手を挿入してしまう心配がなく、ユーザが切断手段で怪我をするのを防止できる。
【００５１】
さらに、余白紙を排出させるためにファンからの風を利用することができ、短時間で余白紙を余白紙収容手段から排出させることができる。また、余白紙の排出用とフォトプリンタ内の通気用とにファンを兼用することができ、コストアップを防止できる。
【図面の簡単な説明】
【図１】本発明の実施形態に係るフォトプリンタの概略構成を示した正面透視図である。
【図２】余白紙収容部の回動機構の概略を示した構成図である。
【図３】フォトプリンタの余白紙排出動作を説明するためのフローチャートである。
【図４】図２に示した余白紙収容部を一部変更した概略構成図である。
【図５】図２及び図４とは異なる構成を示した余白紙収容部の回動機構の概略構成図である。
【図６】図２、図４、図５とは異なる構成を示した余白紙収容部の回動機構の概略構成図である。
【符号の説明】
１−フォトプリンタ１、２−給紙部、３−画像形成部、４−定着ユニット部、５−切断部５、６−余白紙収容部、７−制御部、１１−ロール紙、
５１，５３，５４，５５−ケース、６１，７２，８２，９１−軸、
６６，６７−ファン、７１−ソレノイド、
【図１】
2005001165.tif 000003
【図２】
2005001165.tif 000004
【図３】
2005001165.tif 000005
【図４】
2005001165.tif 000006
【図５】
2005001165.tif 000007
【図６】
2005001165.tif 000008